(57)【要約】【課題】静止原稿読取部の一側部に搬送原稿読取部を設けた場合でも、流し読みが可能な画像読取装置及び画像形成装置を提供する。【解決手段】圧板ユニットは、プラテンガラス６に載置された原稿を押えるように配置され、原稿搬送方向に沿って往復移動可能に設けられた帯状の白地シート２を備え、帯状の白地シート２を、プラテンガラス６上の画像読取位置に搬送される原稿の画像を読み取る場合には、画像読取部１６からの光を原稿に当てることができる位置に移動させ、プラテンガラス６に載置された原稿の画像を読み取る際にはプラテンガラス６上の画像読取位置を含めてプラテンガラス６を覆う位置に移動させる。【選択図】図７
2011119817.tif 000002
【特許請求の範囲】
【請求項１】
原稿が載置される載置台ガラスと、前記載置台ガラス上の画像読取位置に原稿を搬送する原稿搬送部を有し、前記載置台ガラスに載置された原稿を押える原稿押圧部と、前記載置台ガラスに載置された原稿及び前記原稿搬送部により前記載置台ガラス上の画像読取位置に搬送される原稿に光を当てて原稿の画像を読み取る画像読取部と、を備え、前記載置台ガラス上の画像読取位置に搬送される原稿の画像を読み取る際には前記画像読取部を固定させ、前記載置台ガラスに載置された原稿の画像を読み取る際には前記画像読取部を前記載置台ガラスに沿って移動させる画像読取装置において、
前記原稿押圧部は、
前記載置台ガラスに載置された原稿を押えるように配置され、原稿搬送方向に沿って往復移動可能に設けられた帯状の白地シートを備え、
前記帯状の白地シートを、前記載置台ガラスに搬送される原稿の画像を読み取る場合には、前記画像読取部からの光を原稿に当てることができる位置に移動させ、前記載置台ガラスに載置された原稿の画像を読み取る際には前記帯状の白地シートの白地部分が前記画像読取位置を含めて前記載置台ガラス上を覆う位置に移動させることを特徴とする画像読取装置。
【請求項２】
前記帯状の白地シートに前記画像読取部からの光を原稿に当てるための光通過部を設け、
前記帯状の白地シートを、前記載置台ガラスに搬送される原稿の画像を読み取る場合には、前記光通過部が前記画像読取位置に臨む位置に移動させ、前記載置台ガラスに載置された原稿の画像を読み取る場合には前記光通過部を前記画像読取位置から退避させる位置に移動させることを特徴とする請求項１記載の画像読取装置。
【請求項３】
原稿をセットする原稿台と、
前記原稿台にセットされた原稿を検知する原稿検知部と、
前記帯状の白地シートを移動させる駆動部と、を備え、
前記原稿検知部により原稿が前記原稿台にセットされたことを検知すると、前記駆動部により前記帯状の白地シートを前記光通過部が前記画像読取位置に臨む位置に移動させることを特徴とする請求項２記載の画像読取装置。
【請求項４】
前記光通過部を、透明な部材で形成することを特徴とする請求項２又は３記載の画像読取装置。
【請求項５】
前記原稿押圧部の底面の、前記画像読取位置に対応する位置に設けられ、前記原稿搬送部により搬送される原稿を下方より支持しながら搬送方向下流側に案内する透明フィルム部材を備え、
前記帯状の白地シートに前記透明フィルム部材と当接して前記透明フィルム部材を清掃する清掃部材を設け、前記透明フィルム部材に前記帯状の白地シートの透明な部材にて形成された前記光通過部と当接して前記帯状の白地シートを清掃する清掃部材を設けることを特徴とする請求項４記載の画像読取装置。
【請求項６】
前記光通過部は、前記帯状の白地シートに形成された開口部であることを特徴とする請求項２又は３記載の画像読取装置。
【請求項７】
請求項１ないし６のいずれか１項に記載の画像読取装置と、前記画像読取装置により読み取った画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特に流し読み又は固定読みにて原稿を読み取るものに関する。
【背景技術】
【０００２】
従来、デジタル複写機、プリンタ、ファクシミリ等の画像形成装置においては、画像形成部と、画像読取装置とを備え、画像形成部により、画像読取装置によって読み取った画像情報に基づいて画像を形成するようにしたものがある。
【０００３】
この画像読取装置の読み取り方法として、原稿をプラテンガラス上に載置した後、圧板により原稿をプラテンガラスに密着させ、この状態で画像読取部を走査させることにより画像を読み取る方法（以下、固定読みという）がある。
【０００４】
また、プラテンガラスの所定の画像読取位置の下方に画像読取部を固定し、この画像読取位置上を、原稿を一定の速度で搬送することにより、画像を読み取る方法（以下、流し読みという）がある。なお、このような流し読みの際、画像読取位置を通過した原稿は、画像読取位置の下流側に設けられたガイド部材に受け渡された後、排紙ローラ対によって装置外へ排出される。
【０００５】
ところで、このような従来の画像読取装置においては、搬送原稿を流し読みにて読み取る搬送原稿読取部と、プラテンガラスに載置された原稿を固定読みにて読み取る静止原稿読取部とを別々に設けているものがある（特許文献１参照）。
【０００６】
図８は、このような従来の画像読取装置の斜視図である。図８において、１２０は搬送原稿を流し読みにて読み取る搬送原稿読取部、１２２は搬送原稿読取部１２０とは別に設けられ、プラテンガラス１２１に載置された原稿を固定読みにて読み取る静止原稿読取部である。なお、図８において、１２５は、プラテンガラス１２１に載置された原稿をプラテンガラス１２１に押し付けるための圧板ユニット、１２４は圧板ユニット１２５の底面に設けられ、固定読みを行う際、原稿をプラテンガラス１２１に押し付けるための白色板である。
【０００７】
そして、静止原稿読取部１２２にて原稿画像を読み取る場合は、プラテンガラス１２１の一端に原稿を合わせて原稿をプラテンガラス上に載置した後、圧板ユニット１２５を閉じ、この後、不図示の画像読取部を走査させるようにする。そして、この際、画像読取部は原稿に光を当てながら走査することにより、原稿画像を読み取る。また、流し読みにより原稿画像を読み取る場合は、原稿の搬送を開始する前に、予め搬送原稿読取部１２０の下方に画像読取部を移動させて固定した後、この画像読取位置上を、原稿を一定の速度で搬送するようにする。そして、この際、画像読取部は原稿に光を当てることにより、原稿画像を読み取る。
【先行技術文献】
【特許文献】
【０００８】
【特許文献１】特開２００３−４６７２２号公報
【発明の概要】
【発明が解決しようとする課題】
【０００９】
ここで、このような従来の画像読取装置において、静止原稿読取部１２２と、搬送原稿読取部１２０を、それぞれ別に設ける場合、装置幅が大きくなる。そこで、静止原稿読取部１２２の一側部に搬送原稿読取部１２０を設けるようにすれば、画像読取装置の小型化を図ることができる。
【００１０】
しかし、静止原稿読取部１２２の一側部に搬送原稿読取部１２０を設けた場合、圧板ユニット１２５を閉じた場合、静止原稿読取部に載置された原稿全体を白色板１２４により押えるようにすると、白色板１２４により流し読み取り部１２０が覆われるようになる。そして、このように流し読み取り部１２０が覆われると、流し読みの際、搬送される原稿に光を当てることができなくなり、流し読みを行うことができなくなる。
【００１１】
そこで本発明は、このような現状に鑑みてなされたものであり、静止原稿読取部の一側部に搬送原稿読取部を設けた場合でも、流し読みが可能な画像読取装置及び画像形成装置を提供することを目的とする。
【課題を解決するための手段】
【００１２】
本発明は、原稿が載置される載置台ガラスと、前記載置台ガラス上の画像読取位置に原稿を搬送する原稿搬送部を有し、前記載置台ガラスに載置された原稿を押える原稿押圧部と、前記載置台ガラスに載置された原稿及び前記原稿搬送部により前記載置台ガラス上の画像読取位置に搬送される原稿に光を当てて原稿の画像を読み取る画像読取部と、を備え、前記載置台ガラス上の画像読取位置に搬送される原稿の画像を読み取る際には前記画像読取部を固定させ、前記載置台ガラスに載置された原稿の画像を読み取る際には前記画像読取部を前記載置台ガラスに沿って移動させる画像読取装置において、前記原稿押圧部は、前記載置台ガラスに載置された原稿を押えるように配置され、原稿搬送方向に沿って往復移動可能に設けられた帯状の白地シートを備え、前記帯状の白地シートを、前記載置台ガラスに搬送される原稿の画像を読み取る場合には、前記画像読取部からの光を原稿に当てることができる位置に移動させ、前記載置台ガラスに載置された原稿の画像を読み取る際には前記帯状の白地シートの白地部分が前記画像読取位置を含めて前記載置台ガラス上を覆う位置に移動させることを特徴とするものである。
【発明の効果】
【００１３】
本発明のように、原稿を流し読みする際、帯状の白地シートを、画像読取部からの光を原稿に当てることができる位置に移動させることにより、静止原稿読取部の一側部に搬送原稿読取部を設けた場合でも流し読みが可能になる。
【図面の簡単な説明】
【００１４】
【図１】本発明の実施の形態に係る画像読取装置の斜視図。
【図２】上記画像読取装置の断面図。
【図３】上記画像読取装置の圧板ユニットを開いた状態を示す斜視図。
【図４】上記圧板ユニットの構造を説明する図。
【図５】上記画像読取装置の固定読みの際の状態を説明する図。
【図６】上記画像読取装置の制御ブロック図。
【図７】上記画像読取装置の流し読みの際の状態を説明する図。
【図８】従来の画像読取装置の圧板ユニットを開いた状態を示す斜視図。
【発明を実施するための形態】
【００１５】
以下、本発明を実施するための形態について図面を用いて詳細に説明する。図１は、本発明の実施の形態に係る画像読取装置の斜視図、図２はその断面図である。図１及び図２において、５０は画像読取装置であり、この画像読取装置５０は、読取ユニット５１、原稿搬送部である原稿読取搬送部５を備えた原稿押圧部である圧板ユニット１及び操作部１２を備えている。読取ユニット５１は、原稿を読み取るためのプラテンガラス（載置台ガラス）６と、プラテンガラス６の下方に配された画像読取部１６とを備えている。
【００１６】
圧板ユニット１は、プラテンガラス上（載置台ガラス上）に載置された原稿の画像を読み取る固定読みの際、原稿をプラテンガラス６に押し付けるためのものである。そして、この圧板ユニット１は、図３に示すように読取ユニット５１のユニット本体５２に、ヒンジ３を介して開閉自在に保持されている。この圧板ユニット１の底面１Ａには固定読みの際、プラテンガラス上に載置された原稿Ｄ２の動きを規制するよう原稿Ｄ２をプラテンガラス６に密着させる原稿押え部材である白地シート２が取り付けられている。なお、この白地シート２は、原稿Ｄ２を均一に押えることができるように、図４に示す押圧部材３６により原稿側に押圧されている。
【００１７】
また、圧板ユニット１の上部には複数枚の原稿Ｄ１が載置可能な原稿載置台４が設けられており、この原稿載置台４には原稿Ｄ１の搬送方向と直交する幅方向にスライド可能なスライダ４ａが設けられている。そして、このスライダ４ａにより原稿載置台４上に載置された原稿Ｄ１の両端を揃えることができる。
【００１８】
画像読取部１６は、不図示の密着型イメージセンサ、光源等を備えている。ここで、密着型イメージセンサは、光源としてのＬＥＤアレイから原稿Ｄ２の画像情報面に光を照射し、反射した反射光をセルフォックレンズ（商標）で画像読取素子であるセンサ素子に結像して画像情報を読取るものである。なお、このような密着型イメージセンサを備えた画像読取部１６は、図２の矢印で示す左右方向に移動可能となっている。
【００１９】
そして、図３に示すプラテンガラス６上の静止原稿読取部に載置されて静止した原稿の画像を読み取る固定読みの際は、光源からの光を原稿に当てながら図中の右側に移動することにより、原稿画像を読み取るようになっている。また、この画像読取部１６は、原稿読取搬送部５によりプラテンガラス６の一側部に設けられた搬送原稿読取部を通過する原稿Ｄ１を流し読みにて読み取る場合は、図２に示す位置で固定され、搬送されてくる原稿Ｄ１を読み取る構成となっている。
【００２０】
原稿読取搬送部５は、原稿載置台４に載置された原稿Ｄ１を送り出すピックアップローラ８、ピックアップローラ８により送り出された原稿Ｄ１を分離する分離パット９を備えている。また、分離パット９により１枚ずつ分離された原稿Ｄ１を搬送し、固定された画像読取部１６の上方を通過させる搬送ローラ１３を備えている。
【００２１】
なお、図２において、７は搬送ローラ１３の円弧と同一形状の略Ｕ字状の原稿搬送路（以下、Ｕターンパスという）である。このＵターンパス７には、ピックアップローラ８に当接している予備搬送部材１０、原稿Ｄ１の有無を検出する原稿有無センサ１１、排紙ローラ１４及び原稿Ｄ１の先端部及び後端部を検出する原稿エッジセンサ１５等が配置されている。
【００２２】
このような原稿読取搬送部５を備えた圧板ユニット１において、原稿画像を流し読みにて読み取る場合、操作者により原稿Ｄ１が原稿載置台４に読取画像面を上側にしてセットされると、原稿有無センサ１１が原稿有りを検知する。次に、操作者が操作部１２から読取開始を指示すると、ピックアップローラ８が回転し、これに伴い予備搬送部材１０によりピックアップローラ８に当接している原稿Ｄ１がピックアップローラ８と分離パット９により１枚ずつに分離されて搬送される。この後、分離された原稿Ｄ１は搬送ローラ１３によって、Ｕターンパス７に沿って搬送され、さらに停止している画像読取部１６により画像を読み取る原稿読取位置へと搬送される。
【００２３】
この後、原稿エッジセンサ１５により原稿Ｄ１の先端部が検知されると、その位置から所定量搬送されたところで、搬送される原稿の画像を読み取る位置にある画像読取部１６による画像情報の読み取りが開始される。ここで、圧板ユニット１の画像読取部１６に対応する位置には、図５に示すように原稿を画像読取部側へ押圧する白色押圧板２０が設けられている。この白色押圧板２０により、画像を読み取る際、原稿Ｄ１はプラテンガラス６から離れる方向への動きを規制されながら、搬送ローラ１３により、画像読取部１６が下方で固定されている、プラテンガラス６上の画像読取位置を通過する。
【００２４】
そして、このように画像が読み取られた原稿は、先端が下流側ガイド部材１９によりすくい上げられ、排紙ローラ対１４（図２参照）に向かって案内される。この後、原稿エッジセンサ１５により原稿Ｄ１の後端部が検知されると、その位置から所定量搬送されたところで、画像読取部１６による画像情報の読み取り（流し読み）を終了する。
【００２５】
次に、画像が読み取られた原稿Ｄ１は、排紙ローラ対１４により圧板ユニット１の上面へと排出される。そして、圧板ユニット１では、原稿有無センサ１１が原稿無しを検知するまで、上述した読取動作を繰り返す。なお、この画像読取装置５０は、固定読みを行う際は、圧板ユニット１により原稿をプラテンガラス６に密着させ、この状態で画像読取部１６を走査させることにより原稿画像を読み取る。
【００２６】
ところで、画像が読み取られた原稿Ｄ１をひっかかることなく下流側ガイド部材１９に受け渡すことができるように搬送原稿読取部と下流側ガイド部材１９との間には、下流端部を下流側ガイド部材１９に載せた透明フィルム部材１８が設けられている。なお、この原稿を下方より支持して下流側ガイド部材１９に案内する透明フィルム部材１８は、原稿搬送方向上流側端が搬送画像読取部よりも原稿搬送方向上流側に延在し、原稿搬送方向下流側端が下流側ガイド部材上に位置するように設けられている。
【００２７】
そして、このようなフィルム部材１８を搬送画像読取部に対応する位置に設けることにより、原稿Ｄ１が搬送原稿読取部を通過する際、原稿画像はプラテンガラス６と、透明フィルム部材１８を介して読み取られる。また、本実施の形態においては、透明フィルム部材１８と、それを保持している保持部材１７及び下流側ガイド部材１９は圧板ユニット１に設けられている。このように構成することにより、プラテンガラス６上に搬送原稿の搬送パスを形成する必要がなく、圧板ユニット１内で搬送原稿のパスが形成されるようになる。
【００２８】
ところで、本実施の形態においては、圧板ユニット１の底面１Ａに設けられた帯状の白地シート２は、フィルム部材１８の下方に、原稿搬送方向に沿って往復移動可能に設けられている。そして、この白地シート２の搬送原稿読取部側端部、すなわち透明フィルム部材側には、搬送原稿を読取る際、光源からの光を通過させて搬送される原稿に当てるための光通過部を構成する白地シート透明部２ａが設けられている。なお、この白地シート２の一端は、図２に示すように圧板ユニット１に設けられた駆動部である正逆転可能な巻取りモータ３１により駆動される巻取りローラ３２に取り付けられている。また、この白地シート２の他端には、図５に示すようにテンションバネ３３が取り付けられている。
【００２９】
なお、図６は本実施の形態に係る画像読取装置５０の制御ブロック図である。図６において、７０は制御部であり、この制御部７０には画像読取部１６、画像読取部１６をプラテンガラス６に沿って移動させる移動部を構成する駆動部７１が接続されている。また、この制御部７０には、画像読取部１６を、図４において破線で示すホームポジションに位置させるホームポジションセンサ７２が接続されている。
【００３０】
さらに、この制御部７０には、原稿有無センサ１１が接続されている。そして、原稿検知部である原稿有無センサ１１により原稿トレイ４に原稿Ｄ１が載置されたことを検知すると、制御部７０は、巻取りモータ３１を駆動し、白地シート透明部２ａが画像読取部１６の上部へ移動するようにしている。
【００３１】
次に、このように構成された画像読取装置５０の原稿画像を流し読みにて読み取る場合の動作について説明する。まず、流し読みの際、原稿台である原稿トレイ４に原稿Ｄ１がセットされ、これを原稿有無センサ１１からの信号により検知すると、制御部７０は、巻取りモータ３１を駆動し、巻取りローラ３２により白地シート２を巻き取る。これにより、白地シート２が原稿搬送方向に巻き出され、これにより図７に示すように白地シート透明部２ａが透明フィルム部材１８に臨む画像読取部１６の上部へ移動する。
【００３２】
そして、このように白地シート透明部２ａが画像読取部１６の上部へ移動することにより、画像読取位置を通過する際、原稿の画像は、プラテンガラス６、白地シート透明部２ａと透明シート部材１８を介して読み取りが開始される。
【００３３】
なお、読取開始後、原稿は排紙ローラ対１４に向かう。そして、原稿エッジセンサ１５により原稿Ｄ１の後端部が検知されると、その位置から所定量搬送されたところで、画像読取部１６による画像情報の読取りを終了する。そして、当該原稿Ｄ１は、排紙ローラ対１４によって装置外へ排出される。このようにして、原稿有無センサ１１が原稿無しを検知するまで上述した読取動作を繰り返す。
【００３４】
次に、原稿有無センサ１１が原稿無しを検知すると、すなわち原稿の流し読みが終了すると、制御部７０は、巻取りモータ３１を逆転駆動する。そして、巻取りモータ３１が逆転駆動すると、白地シート２のテンションが弛み、このようにテンションが弛むと、白地シート２はテンションバネ３３により引き戻される。これに伴い、白地シート透明部２ａは、既述した図５に示すように画像読取部１６の上方の透明フィルム部材１８に臨む画像読取位置から退避する。
【００３５】
そして、白地シート２における白地シート透明部２ａでない白地部分が、画像読取部１６が流し読みをするときのプラテンガラス６上の画像読取位置を覆う（図５参照）。したがって、固定読みを行う際は、画像読取部１６が流し読みをするときに原稿が通過していくプラテンガラス６上面の上記画像読取位置を含めて白地シート２の白地部分によって覆われるので、良好な読取画像を得ることができる。
【００３６】
なお、本実施の形態においては、透明シート部材１８の下方に位置する白地シート２が移動する際、白地シート２は透明シート部材１８に接しながら移動するようになっている。そして、このように透明シート部材１８に対して摺動可能に設けられた白地シート２の上面には、透明シート部材１８の下面に当接する清掃部材３４が設けられている。また、透明シート部材１８の下面には、白地シート２の白地シート透明部２ａの上面に当接する清掃部材３５がそれぞれ設けられている。これにより、流し読みによる原稿読み取りが行なわれるたびに、透明シート部材１８と白地シート２の白地シート透明部２ａが清掃されるようになり、常に良好な読取画像を得ることができる。
【００３７】
一方、本実施の形態においては、既述したように圧板ユニット１内で搬送原稿のパスが形成されている。このため、固定読みを行う際は、静止原稿Ｄ２は図３に示すように、プラテンガラス６を上方より支持するスキャナカバー２２の一端に形成された突き当て面２２ａに一端部を突き当てて読取を行うことが可能となる。これにより、静止原稿Ｄ２の読取範囲、すなわち静止原稿読取部の一側部に搬送原稿読取部を設けることができ、装置の幅を大幅に縮小することが可能となる。言い換えると、搬送される原稿が通過していくプラテンガラス５上の位置（画像読取位置）を、静止原稿の読取り範囲に含ませることができるので、プラテンガラス６の幅を短くできて装置の幅を縮小できる。
【００３８】
以上説明したように、本実施の形態においては、白地シート２を、搬送原稿を読み取る際には白地シート透明部２ａが透明フィルム部材１８に臨む位置に移動させ、画像読取部１６からの光を原稿に当てることができるようにしている。そして、このように原稿を流し読みする際、白地シート２を、画像読取部１６からの光を原稿に当てることができる位置に移動させることにより、静止原稿読取部の一側部に搬送原稿読取部を設けた場合でも流し読みが可能になる。
【００３９】
なお、本実施の形態では白地シート２に光通過部として白地シート透明部２ａを設けるようにしているが、光通過部として白地シート２に開口部を形成するようにしても良い。なお、この場合、透明シート部材１８の清掃部材３４は不要となる。また、本実施の形態では巻取りモータ３１と、テンションバネ３３により白地シート２を往復移動させているが、白地シート２の両側に駆動部を設けて白地シート２を往復移動させるようにしても良い。また、原稿読取搬送部５に設けられたピックアップローラ８等を駆動する不図示の原稿搬送モータからの駆動を白地シート２に伝達する用にしても良く、白地シート２を駆動する駆動手段に制限はない。
【００４０】
さらに、これまでの説明においては、画像読取装置単体について説明したが、画像読取装置により読み取った画像情報に基づいて画像を形成する画像形成部を備えた画像形成装置に設けられる画像読取装置に適用することも当然可能である。
【符号の説明】
【００４１】
１…圧板ユニット、２…白地シート、２ａ…白地シート透明部、５…原稿読取搬送部、６…プラテンガラス、１１…原稿有無センサ、１６…画像読取部、１８…透明フィルム部材、３１…巻取りモータ、３３…テンションバネ、５０…画像読取装置、７０…制御部、Ｄ１，Ｄ２…原稿
【図１】
2011119817.tif 000003
【図２】
2011119817.tif 000004
【図３】
2011119817.tif 000005
【図４】
2011119817.tif 000006
【図５】
2011119817.tif 000007
【図６】
2011119817.tif 000008
【図７】
2011119817.tif 000009
【図８】
2011119817.tif 000010